(57)【要約】      （修正有）【課題】鉛筆が短くなった場合等にあっても鉛筆を容易に削ることができる鉛筆削り補助具及びこれを備えた鉛筆削り器を提供する。【解決手段】鉛筆削り器１は、鉛筆削り器本体２と、該鉛筆削り器本体２に着脱自在に取り付けられる鉛筆削り補助具３を備える。鉛筆削り補助具３は、摘まみ部２４と、摘まみ部２４の内側に形成された鉛筆保持部を備える。【選択図】図１
0003177746.tif 000002
【実用新案登録請求の範囲】
【請求項１】
摘まみ部と、摘まみ部の内側に形成された鉛筆保持部を備えたことを特徴とする鉛筆削り補助具。
【請求項２】
鉛筆削り器本体と、該鉛筆削り器本体に着脱自在に取り付けられる請求項１に記載の鉛筆削り補助具を備えたことを特徴とする鉛筆削り器。
【考案の詳細な説明】
【技術分野】
【０００１】
本考案は鉛筆削り器を用いて鉛筆を削る際に用いられる鉛筆削り補助具及びこれを備えた鉛筆削り器に関する。
【背景技術】
【０００２】
特許文献１には携帯用鉛筆削り器が開示されている。この鉛筆削り器は、鉛筆挿入孔に差し込まれた鉛筆を鉛筆削り器に対して回転することで、鉛筆挿入孔に設けられた刃によって鉛筆を削るものである。
【先行技術文献】
【特許文献】
【０００３】
【特許文献１】特開２００１−９６９８６
【考案の概要】
【考案が解決しようとする課題】
【０００４】
ところで、前記のように鉛筆削り器を用いて鉛筆を削るには、鉛筆をしっかりと手で持って、この鉛筆を刃の抵抗よりも大きな力で鉛筆削り器に対して回転させる必要がある。しかし、鉛筆が短い場合や、鉛筆が塗装されて滑りやすい場合等には、鉛筆をしっかりと保持することが難しく、鉛筆削り器に対して鉛筆を回転させることができない場合がある。
【０００５】
本考案は上記事情に鑑みてなされたものであって、鉛筆が短くなった場合等にあっても鉛筆を容易に削ることができる鉛筆削り補助具及びこれを備えた鉛筆削り器を提供することを課題とする。
【課題を解決するための手段】
【０００６】
上記課題を解決するために本考案の鉛筆削り補助具３は、摘まみ部２４と、摘まみ部２４の内側に形成された鉛筆保持部２５を備えたことを特徴とする。
【０００７】
また、本考案の鉛筆削り器は、鉛筆削り器本体２と、該鉛筆削り器本体２に着脱自在に取り付けられる前記鉛筆削り補助具３を備えたことを特徴とする。
【考案の効果】
【０００８】
請求項１に係る考案にあっては、鉛筆削り補助具の鉛筆保持部で保持した鉛筆を鉛筆削り器本体の鉛筆挿入孔に挿入し、摘まみ部を鉛筆削り器本体に対して回転させることで、前記鉛筆保持部で保持された鉛筆を鉛筆削り器本体に対して小さな力で回転させることができ、これにより容易に鉛筆を削ることができる。
【０００９】
また、請求項２に係る考案にあっては、前記鉛筆削り補助具を鉛筆削り器本体に取付けた鉛筆削り器を提供することができる。また、補助具を鉛筆削り器本体に着脱自在に取り付けることができるので、補助具を紛失し難くなる。
【図面の簡単な説明】
【００１０】
【図１】本実施形態の鉛筆削り器の斜視図である。
【図２】同上の鉛筆削り器の分解した状態を示す前側からの斜視図である。
【図３】同上の鉛筆削り器の分解した状態を示す後側からの斜視図である。
【図４】同上の鉛筆削り補助具の側断面図である。
【図５】同上の鉛筆削り補助具を用いて鉛筆を削る様子を示した説明図である。
【図６】同上の鉛筆削り補助具を用いずに鉛筆を削る様子を示した説明図である。
【考案を実施するための形態】
【００１１】
以下、本考案を添付図面に基づいて説明する。本実施形態の鉛筆削り補助具３は、図１に示されるように鉛筆削り器本体２に着脱自在に取り付けられるものであり、鉛筆削り器本体２と鉛筆削り補助具３によって鉛筆削り器１が構成される。
【００１２】
図１に示されるように鉛筆削り補助具３を鉛筆削り器本体２に取り付けた状態では、鉛筆削り器本体２と鉛筆削り補助具３は同軸上に並べて配置される。以下、鉛筆削り補助具３を取り付けた鉛筆削り器１の鉛筆削り器本体２側を前方、鉛筆削り補助具３側を後方として説明する。また、鉛筆削り補助具３を単に補助具３と記載する。
【００１３】
鉛筆削り器本体２は一般的な携帯用鉛筆削り器と同様に鉛筆挿入孔９に挿入された鉛筆１０を鉛筆削り器本体２に対して手動で回転させることで鉛筆１０を削るものである。
【００１４】
鉛筆削り器本体２は、密閉容器状のケース４と、ケース４内に設けられた削りユニット５（図２参照）と、ケース４の後端部に設けられた芯先調整ユニット６（図２参照）を備えている。
【００１５】
ケース４は、図２に示されるように、後方に開口する有蓋筒状のケース本体７と、ケース本体７の後端部に着脱自在に取り付けられてケース本体７の後端開口部を閉塞するキャップ８で構成されている。ケース本体７の外周面には滑り止め部として前後方向に伸びる凹溝１３が周方向に亘って多数形成されている。
【００１６】
削りユニット５はキャップ８の内側部分に着脱自在に取り付けられ、キャップ８からケース本体７側に向けて突出している。削りユニット５は、前方に開口するテーパー状の鉛筆挿入孔９と、鉛筆挿入孔９に沿って設けられた刃１１を有している。ケース４の前端面部には鉛筆挿入孔９に連通する通孔１２が形成されている。鉛筆挿入孔９には鉛筆１０の先端部をケース４の前方から通孔１２を介して挿入できるようになっており、このように挿入された鉛筆１０を鉛筆削り器本体２に対して回転することで、鉛筆１０の先端部を前記キャップ８に固定的に設けられた刃１１によって削ることができる。また、鉛筆１０を削った際に発生する削り屑はケース４内に溜められ、この削り屑はケース本体７からキャップ８を取り外すことでケース４から排出できるようになっている。なお、図１中符号１４はケース本体７の前端部に移動自在に設けられた蓋１４であり、この蓋１４により通孔１２を閉塞して、ケース４内の削り屑が通孔１２から出ることを防止できる。
【００１７】
芯先調整ユニット６は前記刃１１によって削られる鉛筆１０の芯先の太さ（尖り具合）を調整するために用いられる。芯先調整ユニット６はスライド体１６と操作体１７を有している。スライド体１６はキャップ８に前後方向にスライド自在に設けられており、その前端部には芯先当て部１８が形成されている。芯先当て部１８は鉛筆挿入孔９の後端部に配置され、鉛筆挿入孔９に挿入された鉛筆１０の芯先が当てられる。
【００１８】
操作体１７はキャップ８の後端部に設けられている。操作体１７の内側にはキャップ８から後方に突出した円筒状の軸部（不図示）が回動自在に挿通されており、これにより操作体１７はキャップ８に対して前後軸回りに回動自在になっている。前記軸部の後端部には略円盤状の押さえ部材２３が取り付けられており、操作体１７は押さえ部材２３とこの前方のキャップ８の間に配置されて前後方向の移動が規制されている。操作体１７は前方程徐々に径が小さくなる略円錐台筒状の周壁部を有している。操作体１７の周壁部の外周面には滑り止め部として同面に沿って前後方向に延びる筋状の突起２１が周方向に亘って多数形成されている。
【００１９】
図示は省略するが、操作体１７の内側には前記円筒状の軸部の外周側に突出したスライド体１６に当接するカム部が形成されており、前記操作体１７のキャップ８に対する回動に伴ってスライド体１６が前後方向にスライドされるようになっている。
【００２０】
芯先調整ユニット６を用いて削られる鉛筆１０の芯先の太さを調整するには、操作体１７を指で摘まんでキャップ８に対して回動させ、これによりスライド体１６を前後方向にスライドし、芯先当て部１８の前後位置を調節する。このように芯先当て部１８を前後に移動することで、当該芯先当て部１８に芯先が当接される鉛筆１０の鉛筆挿入孔９に対する挿入深さを調節することができ、これにより鉛筆削り器本体２によって削られる鉛筆１０の芯先の太さを調節することができる。
【００２１】
補助具３は鉛筆削りの際に鉛筆削り器本体２から取り外すことで、図５に示されるように鉛筆１０の削る側と反対側の端部に着脱自在に取り付けることができる。
【００２２】
図２及び図４に示されるように補助具３は摘まみ部２４と鉛筆１０を保持する鉛筆保持部２５を備えている。摘まみ部２４は前方程徐々に径が大きくなる略円錐台筒状に形成されている。この摘まみ部２４の外周面はその外径が前方に行く程その増加割合が漸次増加するらっぱ状をなし、同面は摘まみ部２４を摘まむ際に指を当てる指当て部を構成している。摘まみ部２４の外周面には、滑り止め部として、当該外周面に沿って前後に延びる筋状の突起２６が周方向に亘って多数突出形成されている。
【００２３】
鉛筆保持部２５は摘まみ部２４と同心の略円筒状であり、摘まみ部２４の内側に形成されている。鉛筆保持部２５の後端部には外方に突出する外鍔部３３が周方向に亘って形成されており、外鍔部３３の外周縁部が摘まみ部２４の後端部に一体に接続されている。鉛筆削り器本体２から取り外した補助具３を鉛筆１０に取り付けるには、鉛筆保持部２５に前方から鉛筆１０を挿入し、これにより鉛筆保持部２５で鉛筆１０を保持する。
【００２４】
鉛筆保持部２５には断面形状の異なる複数種類の鉛筆１０を保持できるようになっている。本実施形態の鉛筆保持部２５は、断面六角形状、断面三角形状、及び断面円形状の三種類の鉛筆１０を保持できるようになっている。
【００２５】
鉛筆保持部２５の内周面は、僅かであるが後方に行く程徐々に径が小さくなるテーパー状に形成されている。この鉛筆保持部２５の内周面には、図２に示されるように前後方向に延びる筋状の突部２８が周方向に等間隔で６条形成されている。また、図４に示されるように鉛筆保持部２５の後端部には内方に向かって突出する内鍔部２９が周方向に亘って形成されている。
【００２６】
鉛筆保持部２５で鉛筆１０を保持するには、鉛筆１０を筒状の鉛筆保持部２５の内側にその削る側と反対側の端面が内鍔部２９に当たるまで圧入する。ここで、内鍔部２９は、鉛筆１０が鉛筆保持部２５の後方に移動することを規制するストッパーとして機能する。このように鉛筆保持部２５に鉛筆１０を挿入することで、断面六角形状の鉛筆１０及び断面三角形状の鉛筆１０にあっては、その外周面の各角部が鉛筆保持部２５の内周面における突部２８と突部２８の間に弾性的に当接し、これにより鉛筆保持部２５に回転不能に保持される。また、断面円形状の鉛筆１０にあってはその外周面が各突部２８に弾接して鉛筆保持部２５に回転不能に保持される。前記のように鉛筆１０に取り付けられた補助具３は、鉛筆１０を鉛筆保持部２５からやや大きい力で前方に引き抜くことで、容易に鉛筆１０から取り外すことができる。なお、鉛筆保持部２５は本実施形態のものに限定されるものではなく、その他の手段により鉛筆１０を保持するものであってもよい。例えば本実施形態では筒状の摘まみ部２４の内側に筒状の鉛筆保持部２５を形成した二重構造としたが、摘まみ部２４の内側に鉛筆保持部２５としての孔を設ける等してもよい。
【００２７】
また、補助具３は不使用時等において鉛筆削り器本体２の後端部に着脱自在に取り付けることができる。図３に示されるように鉛筆削り器本体２の押さえ部材２３の後面中央部には、補助具３の鉛筆保持部２５の内径と略同じ外径を有する円筒状の嵌込部３０が突設されている。嵌込部３０の周壁部には後方に開口するスリット３１が周方向に複数形成されており、嵌込部３０は内側に弾性変形しやすくなっている。また、押さえ部材２３の後面には外周面が多角形状に形成された環状突起３２が周設されている。他方、補助具３の摘まみ部２４は、図２に示されるように前端部の内周面が押さえ部材２３の外周面に合致する多角形状に形成されている。
【００２８】
補助具３を鉛筆削り器本体２に取り付けるには、嵌込部３０を鉛筆保持部２５内に前方から圧入して嵌め込むと共に、摘まみ部２４の前端部を環状突起３２の外側に嵌め込む。これにより、補助具３は周方向の回動が規制された状態で鉛筆削り器本体２に取り付けられる。このように補助具３を鉛筆削り器本体２に取り付けることで、補助具３を紛失し難くなる。
【００２９】
補助具３を用いて鉛筆１０を削るには例えば以下のようにする。まず前述したように鉛筆削り器本体２から取り外した補助具３の鉛筆保持部２５に鉛筆１０を挿入して、補助具３に鉛筆１０に取り付ける。次に、図５に示されるように補助具３の摘まみ部２４の外周面を指で摘まんで、鉛筆１０の削り側となる先端部を鉛筆削り器本体２の鉛筆挿入孔９に前方から挿入する。そして、他方の手で鉛筆削り器本体２のケース４を保持した状態で、摘まみ部２４を摘まんだ指で補助具３を鉛筆削り器本体２側に押し込みつつ回転する。これにより鉛筆削り器本体２に対して鉛筆１０が回転し、鉛筆削り器本体２の刃１１によって鉛筆１０が削られる。この場合、鉛筆１０の外周面よりも径が大きな摘まみ部２４の外周面を摘まんで鉛筆１０を回転させるので、鉛筆１０を直接指で持った場合よりも小さな力で鉛筆１０を回転させることができる。また、これにより鉛筆１０が短い場合等にあっても鉛筆１０を容易に削ることが可能になる。
【００３０】
また、本実施形態の鉛筆削り器１は、補助具３が後端部に取り付けられ、鉛筆削り器本体２の鉛筆１０が挿入される側とは反対側に配置される。このため、鉛筆１０がしっかり掴むことができる程の十分な長さを有する場合等には、図６に示されるように補助具３を鉛筆削り器本体２に取り付けたままの状態で、鉛筆１０を削ることができる。すなわち、この場合は、鉛筆削り器本体２の鉛筆挿入孔９に挿入した鉛筆１０を直接持って鉛筆削り器本体２に対して回転させる。また、このように補助具３を鉛筆削り器本体２に取り付けたまま鉛筆１０を削る場合、図６に示されるように鉛筆削り器本体２に取り付けられた補助具３の後面を鉛筆削り器１を保持する手の掌に当てることができる。このため鉛筆１０を削る際において鉛筆１０を鉛筆削り器本体２側に押し込む力を前記補助具３の後側を当てた掌で受けることができて、鉛筆１０を容易に削ることができる。
【００３１】
なお、以上の説明では、鉛筆削り器本体２を用いて鉛筆１０を削る場合について説明したが、補助具３は従来から知られている他の鉛筆削り器本体を用いて鉛筆１０を削る場合にも用いることができる。また、補助具３は鉛筆削り器本体２に着脱自在に取り付けられるものに限定されない。また、本考案は、上述した実施形態に限定されるものではなく、本考案の趣旨を逸脱しない範囲内で、必要に応じて、任意に且つ適宜に変更・選択して採用できるものである。
【符号の説明】
【００３２】
１  鉛筆削り器
２  鉛筆削り器本体
３  鉛筆削り補助具
２４  摘まみ部
２５  鉛筆保持部
【図１】
0003177746.tif 000003
【図２】
0003177746.tif 000004
【図３】
0003177746.tif 000005
【図４】
0003177746.tif 000006
【図５】
0003177746.tif 000007
【図６】
0003177746.tif 000008